(57)【要約】【課題】  カーテンへ吊り具を確実に取付けられ、装着に手間がかからないカーテン吊り具と、これを用いたカーテン吊り装置を提供する。【解決手段】カーテン吊り装置１は、テープ２と吊り具３とを具備する。テープ２は、テープ基体２ａと、このテープ基体の第２の面２ｄ上に長手方向に相互間隔をおいて複数設けられた重合片２ｂとを具備する。吊り具３は、本体４とフック体５とからなる。本体４は、主杆４ａと挿入杆４ｂとを持つ。挿入杆４ｂは、テープの重合片２ｂの下縁からテープ基体２ａとの間へ挿入するために、主杆４ａの下部から主杆４ａの背部に沿って上方へ延びる。挿入杆４ｂは、主杆４ａの背面にほぼ平行に延び、横断面形状において、横方向寸法が、前後方向寸法より大きく、かつ主杆の横方向寸法より大きい扁部材で、横方向両側縁部が、重合片２ｂの内側縁部に断続的に摩擦抵抗を持って接触する波形に形成される。【選択図】図１
2009183355.tif 000002
【特許請求の範囲】
【請求項１】
カーテンの上縁部に沿って横方向に縫い付けられる長尺のテープと、このテープに横方向に相互間隔をおいて取付けられる弾性合成樹脂製の複数の吊り具とを具備し、
前記テープは、前記カーテンに密着する第１の面と、その反対側の第２の面とを有するテープ基体と、このテープ基体の第２の面上に長手方向に相互間隔をおいて複数設けられた重合片とを具備し、
前記吊り具は、本体と、この本体に結合され、ランナの吊り環へ掛け止め可能なフック体とからなり、
前記吊り具の本体は、縦方向に伸びる主杆と、前記テープの重合片の下縁からテープ基体との間へ挿入するために、主杆の下部から主杆の背部に沿って上方へ伸びる挿入杆とを具備し、
前記吊り具の挿入杆は、装着時にカーテンの上縁部が膨らまず、かつ軸周り回転しないように、前記主杆の背面にほぼ平行に延び、横断面形状において、カーテンに対する横方向寸法が、カーテンに対する前後方向寸法より大きく、かつ主杆の横方向寸法より大きい扁平部材で、横方向両側縁部が、前記テープの重合片の内側縁部に断続的に摩擦抵抗を持って接触する波形に形成されることを特徴とするカーテン吊り装置。
【請求項２】
前記吊り具の挿入杆は、横方向両側縁部が、横方向の弾性を有し、前記テープの重合片の内側縁部に断続的に弾力と摩擦抵抗を持って接触する波形に形成されることを特徴とする請求項１に記載のカーテン吊り装置。
【請求項３】
カーテンの上縁部に沿って横方向に縫い付けられ、カーテンに密着する第１の面と、その反対側の第２の面とを有するテープ基体と、このテープ基体の第２の面上に長手方向に相互間隔をおいて複数設けられた重合片とを具備る長尺のテープに、横方向に相互間隔をおいて複数取付けられる弾性合成樹脂製の吊り具であって、
本体と、この本体に結合され、ランナの吊り環へ掛け止め可能なフック体とからなり、
前記本体は、縦方向に伸びる主杆と、前記テープの重合片の下縁からテープ基体との間へ挿入するために、主杆の下部から主杆の背部に沿って上方へ伸びる挿入杆を具備し、
前記挿入杆は、装着時にカーテンの上縁部が膨らまず、かつ軸周り回転しないように、前記主杆の背面にほぼ平行に延び、横断面形状において、カーテンに対する横方向寸法が、カーテンに対する前後方向寸法より大きく、かつ主杆の横方向寸法より大きい扁平部材で、横方向両側縁部が、ほぼ上下方向の全長にわたって、前記テープの重合片の内側縁部に断続的に摩擦抵抗を持って接触する波形に形成されることを特徴とするカーテン吊り具。
【請求項４】
前記挿入杆は、横方向両側縁部が、横方向の弾性を有し、前記テープの重合片の内側縁部に断続的に弾力と摩擦抵抗を持って接触する波形に形成されることを特徴とする請求項３に記載のカーテン吊り具。
【発明の詳細な説明】
【技術分野】
【０００１】
本発明は、カーテンの上縁部に沿って横方向に長尺のテープを縫い付け、このテープに横方向に相互間隔をおいて複数の吊り具を取付けることにより、カーテンを簡易に吊り止めることができるカーテン吊り装置と、これに用いられるカーテン吊り具に関する。
【背景技術】
【０００２】
従来、カーテンの上縁部に沿って横方向に長尺のテープを縫い付け、このテープに横方向に相互間隔をおいて複数の吊り具を取付けることにより、カーテンを簡易に吊り止めることができるカーテン吊り装置として、特許文献１に記載されたものが知られている。
このカーテン吊り装置は、カーテンの上縁部に沿って横方向に縫い付けられる長尺のテープと、このテープに横方向に相互間隔をおいて取付けられる弾性合成樹脂製の複数の吊り具とを具備する。テープは、テープ基体と重合片とを具備する。テープ基体のカーテンと反対側の面上に、長手方向に相互間隔をおいて複数の重合片が設けられる。吊り具の本体は、縦方向に伸びる主杆と、それの上下の背部に伸びる下部挿入杆、上部挿入杆を具備する。下部挿入杆は、テープの重合片の下縁からテープ基体との間へ挿入するために、主杆の下部からそれの背部に沿って上方へ伸び、上部挿入杆は、重合片の上縁からテープ基体との間へ挿入するために、主杆の上部からそれの背部に沿って下方へ伸びる。上部挿入杆及び下部挿入杆は、主杆の背面にほぼ平行な扁平板状に形成される。吊り具は、主杆の上下位置においてテープに係止されることと、上下部挿入杆が主杆の背面にほぼ平行な扁平板状に形成されることにより、転倒、揺動、軸周り回転が起きにくく、ランナへの装着を迅速に行える。
【特許文献１】特開２００１−３２７３９４号公報
【発明の開示】
【発明が解決しようとする課題】
【０００３】
上記従来のカーテン吊り装置においては、上部挿入杆と下部挿入杆の２つをテープの重合片に挿入しなければならないので、装着に手数を要する難点がある。
従って、本発明は、カーテンへ吊り具を安定的に取付けることができ、しかも装着に手間がかからないカーテン吊り具と、これを用いたカーテン吊り装置を提供することを課題としている。
【課題を解決するための手段】
【０００４】
この発明においては、上記課題を解決するため、カーテン２１の上縁部に沿って横方向に縫い付けられる長尺のテープ２と、このテープ２に横方向に相互間隔をおいて取付けられる弾性合成樹脂製の複数の吊り具３とを具備させてカーテン吊り装置１を構成する。テープ２には、カーテン２１に密着する第１の面２ｃと、その反対側の第２の面２ｄとを有するテープ基体２ａと、このテープ基体の第２の面２ｄ上に長手方向に相互間隔をおいて複数設けられた重合片２ｂとを具備させる。吊り具３は、本体４と、この本体４に結合され、ランナの吊り環へ掛け止め可能なフック体５とから構成する。吊り具の本体４には、縦方向に伸びる主杆４ａと、テープの重合片２ｂの下縁からテープ基体２ａとの間へ挿入するために、主杆４ａの下部から主杆４ａの背部に沿って上方へ延びる挿入杆４ｂとを具備させる。吊り具３の挿入杆４ｂは、装着時にカーテン２１の上縁部が膨らまず、かつ軸周り回転しないように、主杆４ａの背面にほぼ平行に延び、横断面形状において、横方向寸法が、前後方向寸法より大きく、かつ主杆の横方向寸法より大きい扁平部材で、横方向両側縁部が、重合片２ｂの内側縁部に断続的に摩擦抵抗を持って接触する波形に形成する。
【発明の効果】
【０００５】
単一の挿入杆を挿入するだけで、吊り具を容易にカーテンへ装着することができる。吊り具の挿入杆の横方向両側縁部が、ほぼ上下方向の全長にわたって、テープの重合片の内側縁部に断続的に摩擦抵抗を持って接触する波形に形成されるため、テープに対する主杆の軸周り方向の回転が阻止されるし、運搬時等に、挿入杆の抜け出しによるテープ（カーテン）から脱落のおそれもない。
【発明を実施するための最良の形態】
【０００６】
図面を参照して本発明の実施の形態を説明する。図１は本発明に係るカーテン吊り装置のカーテンへの装着状態の斜視図、図２は本発明に係るカーテン吊り装置のカーテンへの装着状態の正面図、図３は図２におけるIII−III断面図、図４はカーテン吊り具の背面図、図５は図４におけるV−V断面図、図６は他の実施形態のカーテン吊り具の背面図である。
【０００７】
図１乃至図３において、カーテン吊り装置１は、カーテン２１の上縁部に沿って横方向に縫い付けられる長尺のテープ２と、このテープ２に横方向に相互間隔をおいて取付けられる弾性合成樹脂製の複数の吊り具３とを具備する。
【０００８】
テープ２は、長尺帯状のテープ基体２ａと、テープ基体２ａ上に設けられる重合片２ｂとを具備する。テープ基体２ａは、カーテン２１の前面に密着する第１の面２ｃと、その反対側の第２の面２ｄとを有する。テープ基体の面２ｄ上に、横方向に相互間隔をおいて複数の重合片２ｂが連続的に設けられる。重合片２ｂは、横方向の両側辺においてテープ基体２ａに融合し、上下の辺はテープ基体２ａとの間が開放している。図示の実施形態において、テープ２は、テープ基体２ａと重合片２ｂとを一体に織成又は編成したものである。
【０００９】
吊り具３は、本体４と、この本体４にラチェット式に移動自在に結合され、ランナの吊り環へ掛け止め可能なフック体５とから成る。本体４は、縦方向に伸びる主杆４ａと、テープ２の重合片２ｂの下縁からテープ基体２ａとの間へ挿入するための挿入杆４ｂとを具備する。挿入杆４ｂは、薄板状で、主杆４ａの下部からそれの背部に沿って上方へ延び、主杆４ａ上端からわずかに突出する高さで終結する。
【００１０】
吊り具の挿入杆４ｂは、主杆４ａの背面に沿って、これとほぼ平行に延び、横断面形状において、横方向寸法が、前後方向寸法より大きく、かつ主杆４ａの横方向寸法より大きい扁平板状である。挿入杆４ｂの横方向両側縁部は、横方向の幅が上下方向に大小変化する波形に形成される。挿入杆４ｂの横方向の最大部寸法は、テープの重合片２ｂの幅とほぼ同等である。したがって、挿入杆４ｂの横方向両側縁部は、テープの重合片２ｂの内側縁部に断続的に摩擦抵抗を持って接触する。
以上の構成により、挿入杆４ｂは、装着時にカーテンの上縁部を膨らませることがなく、かつ重合片２ｂの内側で軸周りに回転しない。
【００１１】
図6に示す他の実施形態の吊り具４においては、挿入杆４ｂが、横方向両側縁部において、横方向の弾性を有するように、中抜きの枠状に構成される。装着時に、挿入杆４ｂの横方向両側縁部が、テープの重合片の内側縁部に断続的に弾力と摩擦抵抗とを持って接触する。このため、材料が節約できると共に、弾力によりテープからの脱落防止効果がより高められる。
【図面の簡単な説明】
【００１２】
【図１】本発明に係るカーテン吊り装置のカーテンへの装着状態の斜視図である。
【図２】本発明に係るカーテン吊り装置のカーテンへの装着状態の正面図である。
【図３】図２におけるIII−III断面図である。
【図４】カーテン吊り具の背面図である。
【図５】図４におけるV−V断面図である。
【図６】他の実施形態のカーテン吊り具の背面図である。
【符号の説明】
【００１３】
１    カーテン吊り装置
２    テープ
２ａ  テープ基体
２ｂ  重合片
２ｃ  第１の面
２ｄ  第２の面
３    カーテン吊り具
４    本体
４ａ  主杆
４ｂ  挿入杆
５    フック体
２１  カーテン
【図１】
2009183355.tif 000003
【図２】
2009183355.tif 000004
【図３】
2009183355.tif 000005
【図４】
2009183355.tif 000006
【図５】
2009183355.tif 000007
【図６】
2009183355.tif 000008